(57)【要約】【課題】アイメイク用の三面鏡を備えていても、良好な操作性で化粧操作することが可能なアイメイク用化粧料容器を提供する。【解決手段】アイメイクのために縦向きに展開可能な三面の鏡面を有する三面鏡１に重ね合わせる配置で、三面鏡１にヒンジ２を介して外側へ展開可能に回転自在に容器本体３を連結した。三面鏡１を正面に向けて顔を映している状態そのままで、正面の鏡板４ａと同じ方向を向いている容器本体３の上面３ａから化粧料Ｐを取って化粧を施す反復的な動作を行うことができ、良好な操作性で化粧をすることができる。【選択図】図１
2005304914.tif 000002
【特許請求の範囲】
【請求項１】
アイメイクのために縦向きに展開可能な三面の鏡面を有する三面鏡に重ね合わせる配置で、該三面鏡にヒンジを介して外側へ展開可能に回転自在に容器本体を連結したことを特徴とするアイメイク用化粧料容器。
【発明の詳細な説明】
【技術分野】
【０００１】
本発明は、アイメイク用の三面鏡を備えていても、良好な操作性で化粧操作することが可能なアイメイク用化粧料容器に関する。
【背景技術】
【０００２】
従来、化粧料容器の中には、横向きに展開される三面鏡を有するものが知られている（例えば、特許文献１〜３参照）とともに、特に眼の上側や下側を見易くする目的で、例えば特許文献４に開示されているように、化粧料が収納される容器本体にヒンジを介して回動自在に連結されて当該容器本体を開閉する蓋体の表面に、縦向きに展開される三面鏡の正面鏡の背面を重ね合わせて取り付けるようにした化粧料容器も知られている。
【特許文献１】実開昭６２−７９１１号公報
【特許文献２】実開昭６２−７８８０７号公報
【特許文献３】特開２０００−１７５７３８号公報
【特許文献４】特開平１１−２９９５３９号公報
【発明の開示】
【発明が解決しようとする課題】
【０００３】
ところで、特許文献４に開示された化粧料容器では、化粧をする際、化粧操作を見るための三面鏡の反対側に蓋体を挟んで、化粧料を収納している容器本体が位置することになるため、三面鏡を正面に向けて化粧をする一方で、化粧具に化粧料を付着するときには手を回すなどして三面鏡を顔から逸らして容器本体を正面に向けなければならず、そしてまた三面鏡を元の位置に戻して顔を映すというように操作する必要があって、化粧をする際の操作性がよくないという課題があった。
【０００４】
本発明は上記従来の課題に鑑みて創案されたものであって、アイメイク用の三面鏡を備えていても、良好な操作性で化粧操作することが可能なアイメイク用化粧料容器を提供することを目的とする。
【課題を解決するための手段】
【０００５】
本発明にかかるアイメイク用化粧料容器は、アイメイクのために縦向きに展開可能な三面の鏡面を有する三面鏡に重ね合わせる配置で、該三面鏡にヒンジを介して外側へ展開可能に回転自在に容器本体を連結したことを特徴とする。
【発明の効果】
【０００６】
本発明にかかるアイメイク用化粧料容器にあっては、アイメイク用の三面鏡を備えていても、良好な操作性で化粧操作することができる。
【発明を実施するための最良の形態】
【０００７】
以下に、本発明にかかるアイメイク用化粧料容器の好適な一実施形態を、添付図面を参照して詳細に説明する。本実施形態にかかるアイメイク用化粧料容器は基本的には、図１〜図３に示すように、アイメイクのために縦向きに展開可能な三面の鏡面を有する三面鏡１に重ね合わせる配置で、三面鏡１にヒンジ２を介して外側へ展開可能に回転自在に容器本体３を連結して構成される。
【０００８】
三面鏡１は本実施形態にあっては、正面の鏡板４ａが取り付けられた板状の中央鏡枠４と、この中央鏡枠４のおおよそ半分の大きさの板状に形成され、中央鏡枠４の下端縁に下側ヒンジ５を介して回動自在に設けられ、下側の鏡板６ａが取り付けられた下部鏡枠６と、この下部鏡枠６と同様に中央鏡枠４のおおよそ半分の大きさの板状に形成され、中央鏡枠４の上端縁に上側ヒンジ７を介して回動自在に設けられ、上側の鏡板８ａが取り付けられた上部鏡枠８とから構成される。そしてこの三面鏡１は、上側ヒンジ７および下側ヒンジ５により、中央鏡枠４に対し、上部鏡枠８を上側に、下部鏡枠６を下側に回動させて縦向きに展開させることが可能で、これによりアイメイクに便利なように三面の鏡板４ａ，６ａ，８ａが上下方向へ縦向きに配置されるようになっている。
【０００９】
この三面鏡１、具体的には正面の鏡板４ａが取り付けられた中央鏡枠４には、これに重ね合わせる配置で、中央鏡枠４よりも僅かに小さな外形寸法の容器本体３が設けられる。この容器本体３は、その上面３ａから窪ませて形成した複数の窪み部９を有する板状に形成され、これら窪み部９には、上面３ａから取り出すことができるように化粧料Ｐが充填され、また図示しない化粧具が収納される。
【００１０】
そしてこの容器本体３は、板状の中央鏡枠４の左右方向いずれか一方の側端縁、図示例にあっては右端縁に、窪み部９が形成されたその上面３ａを三面鏡１の正面の鏡板４ａに向かい合わせた状態でヒンジ２を介して回転自在に連結され、ヒンジ２によって容器本体３を回転させると、中央鏡枠４、ひいては三面鏡１に対して重ね合わせた配置状態から、中央鏡枠４と並べた配置状態へと、三面鏡１の右方外側へ展開することが可能となっている。そして展開された状態では、化粧料Ｐなどを取り出すことができる容器本体３の上面３ａが反転して、正面の鏡板４ａと同じ方向に面するようになっている。殊に、展開状態で容器本体３の姿勢が中央鏡枠４に対して並べた状態に維持されるように、容器本体３を回転し切った際に、ヒンジ２近傍の容器本体３の上面３ａが中央鏡枠４の裏面４ｂに当接されるようになっている。
【００１１】
このように中央鏡枠４に容器本体３が重ね合わせて配置されることから、上記下部鏡枠６および上部鏡枠８の上側および下側ヒンジ５，７については、この重ね合わせ状態で、下部鏡枠６および上部鏡枠８を当該容器本体３の上にさらに重ね合わせることができるように、容器本体３の厚さ相当の高さ寸法で形成されていて、下部鏡枠６および上部鏡枠８は、上側および下側ヒンジ５，７を介して三面鏡１を閉じる方向に回動することで、容器本体３の下面の下半分および上半分にそれぞれ向かい合わせて重ね合わされるようになっている。なお、容器本体３には、ヒンジ２と反対側の位置に、容器本体３を回転操作する際に当該容器本体３に指を掛けるための切り欠き部１０が形成されている。
【００１２】
本実施形態にかかるアイメイク用化粧料容器の作用について説明すると、化粧操作をする際には、上側ヒンジ７および下側ヒンジ５を介して中央鏡枠４に対し上部鏡枠８および下部鏡枠６をそれぞれ上側および下側に回動操作して縦向きに展開させることにより三面鏡１を開いて、眼の周りを映すことができるように手指で支えるとともに、容器本体３を、これに指を掛けヒンジ２を介して回転させることにより、中央鏡枠４上から三面鏡１の外側へ展開させるようにする。そして正面の鏡板４ａと並んだ状態となる容器本体３の上面３ａから化粧具を手にとって化粧料Ｐを付着させることにより、三面鏡１を見ながら化粧操作を行うことができる。化粧操作が終わったときには、容器本体３をヒンジ２によって反転させて中央鏡枠４の上に重ね合わせるとともに、三面鏡１を折り畳むようにすればよい。
【００１３】
以上説明したように本実施形態にかかるアイメイク用化粧料容器にあっては、不使用時には中央鏡枠４に対し重ね合わせる配置で、かつ使用時には化粧料Ｐなどを取り出すことができる容器本体３の上面３ａを、正面の鏡板４ａと同じ方向に向けることができるように、当該容器本体３を三面鏡１に、ヒンジ２を介して当該中央鏡枠４上から外側へ向かって展開可能に回転自在に連結するようにしたので、従来のように三面鏡を正面に向けて化粧をする一方で、化粧具に化粧料を付着するときには手を回すなどして三面鏡を顔から逸らして容器本体を正面に向けるようにし、さらにまた三面鏡を元の位置に戻して顔を映すというような煩雑な操作を必要とせずに、三面鏡１を正面に向けて顔を映している状態そのままで、正面の鏡板４ａと同じ方向を向いている容器本体３の上面３ａから化粧料Ｐを取って化粧を施す反復的な動作を行うことができ、良好な操作性で化粧をすることができる。そして本実施形態にあっては、構造は非常に簡単である反面、化粧の操作性に対してきわめて顕著な改善を図ることができる。
【００１４】
また、ヒンジ２の回転作用を利用した容器本体３の上面３ａと中央鏡板４の裏面４ｂとの当接により、展開状態の容器本体３の姿勢を、正面の鏡板４ａに並べて安定的に維持することができる。
【００１５】
本実施形態にあっては、中央鏡枠４に容器本体３を連結するようにしているが、下部鏡枠６もしくは上部鏡枠８、さらには中央鏡枠４に加えてこれら上部鏡枠８および下部鏡枠６にも中央鏡枠４と同様に、容器本体３をヒンジ２で連結してもよい。また、本実施形態にあっては、容器本体３を中央鏡枠４の右側縁に連結する場合を例示したが、左側縁に連結してもよく、また容器本体３の大きさを左右半分ずつとして一対とし、これら一対の容器本体３それぞれを左右両側縁に連結して構成してもよい。上部鏡枠８および下部鏡枠６についても、同様に構成することができる。
【図面の簡単な説明】
【００１６】
【図１】本発明にかかるアイメイク用化粧料容器の好適な一実施形態を示す斜視図である。
【図２】図１のアイメイク用化粧料容器の側断面図である。
【図３】図１のアイメイク用化粧料容器の使用状態を示す説明図である。
【符号の説明】
【００１７】
１  三面鏡
２  ヒンジ
３  容器本体
【図１】
2005304914.tif 000003
【図２】
2005304914.tif 000004
【図３】
2005304914.tif 000005